(57)【要約】本発明は、無線アクセス・ネットワークにおいて、ハンドオーバ後に移動先セル内のユーザ装置によって使用されるべき移動先タイムアラインメントＴＡ２の計算を管理するための方法および装置に関する。無線アクセス・ネットワークは、移動元セルと、移動先セル、およびハンドオーバ後に移動先セル内に備えられている移動先基地局と切り替えて通信するように構成されているユーザ装置とを備える。移動元セルは、第一の基準信号を送信するように構成され、そして移動先セルは第二の基準信号を送信するように構成されている。本方法は、第二の基準信号が送信される時点と移動先セルがユーザ装置送信を受信する時点との間の時間差Ａを有する第一の情報を取得する工程と、第二の基準信号が受信される時点とユーザ装置送信が送信される時点との間の時間差Ｃを取得する工程と、式［ＴＡ２＝Ｃ−Ａ］の手段によって移動先タイムアラインメントＴＡ２を計算する工程と、の各工程を有する。
2009542087.tif 000002
【特許請求の範囲】
【請求項１】
ハンドオーバ後に移動先セル（１１２）においてユーザ装置（１４０）により使用されるべき移動先タイムアラインメント値（ＴＡ２）の計算を管理するための無線アクセス・ネットワーク（１００）における方法であって、
前記無線アクセス・ネットワーク（１００）は移動元セル（１１０）と、前記移動先セル（１１２）と、前記移動元セル（１１０）内に備えられる移動元無線基地局（１２０）と通信するように構成されている前記ユーザ装置（１４０）とを備え、
前記ユーザ装置（１４０）はさらにハンドオーバ後に前記移動先セル（１１２）内に備えられている移動先無線基地局（１２２）と切り替えて通信するように構成され、
前記ユーザ装置（１４０）はさらにユーザ装置送信を行うように構成され、
前記移動元セル（１１０）は第一の基準信号（パイロット１）を送信するように構成され、
前記移動先セル（１１２）は第二の基準信号（パイロット２）を送信するように構成されており、
前記第二の基準信号（パイロット２）が前記移動先セル（１１２）により送信される時点（２０２）と前記移動先セル（１１２）が前記ユーザ装置（１４０）送信を受信する時点（２２２）との間の前記時間差（Ａで示す）を有する第一の情報を、前記移動先セル（１１２）から取得する工程（工程３０１）と、
第二の基準信号（パイロット２）が前記ユーザ装置（１４０）により受信される時点（２１２）と前記ユーザ装置送信が発信される時点（ＵＥ  Ｔｘ）との間の前記時間差（Ｃで示す）を有する第二の情報を取得する工程（工程３０２）と、
前記移動先タイムアラインメント（ＴＡで示す）を前記式［ＴＡ２＝Ｃ−Ａ］を用いて計算する工程（工程３０３）と
を有することを特徴とする方法。
【請求項２】
前記ユーザ装置から第三の情報を取得する工程（工程３０４）を更に有し、
前記第三の情報は、前記第一の基準信号（パイロット１）が前記ユーザ装置（１４０）により受信される時点（２１０）と前記第二の基準信号（パイロット２）が前記ユーザ装置（１４０）により受信される時点（２１２）との間の前記時間差（Ｂで示す）を有することを特徴とする請求項１に記載の方法。
【請求項３】
前記ユーザ装置（１４０）は、移動元タイムアラインメント調整値（ＴＡ１で示す）を使用して前記移動元無線基地局（１２０）と通信するように構成され、
前記方法は、更にＴＡ１の値を備える第四の情報を取得する工程（工程３０４）を有することを特徴とする請求項２に記載の方法。
【請求項４】
前記ユーザ装置（１４０）は、移動元のタイミング・オフセット（オフセット・セル１で示す）を使用して移動元無線基地局と通信するように構成され、
前記第二の情報Ｃを取得する前記工程（工程３０２）は、
前記オフセット・セル１の値を有する第五の情報を取得する工程と、
式［Ｃ＝（オフセット・セル１）−Ｂ−ＴＡ１］を用いてＣを計算する工程と
の各工程により行われることを特徴とする請求項３に記載の方法。
【請求項５】
前記第二の情報Ｃを取得する前記工程（工程３０２）は、
前記第六の情報は前記第一の基準信号（パイロット１）が前記ユーザ装置（１４０）により受信される時点（２１０）と前記ユーザ装置送信が行われる時点（ＵＥ  Ｔｘ）との間の前記時間差（Ｄで示す）を有する第六の情報を、前記ユーザ装置（１４０）から取得する工程と、
式［Ｃ＝Ｄ−Ｂ］を用いてＣを計算する工程と
の各工程により行われることを特徴とする請求項２に記載の方法。
【請求項６】
前記第一の基準信号（パイロット１）が前記移動元セル（１１０）から送信される時点（２００）と前記第二の基準信号（パイロット２）が移動先セル（１１２）から送信される時点（２０２）との間の時間差（Ｘで示す）を、式［Ｘ＝Ｂ＋（ＴＡ１−ＴＡ２）／２］を用いて計算する工程（工程３０５）を更に有することを特徴とする請求項３乃至５のいずれか一項に記載の方法。
【請求項７】
前記無線ネットワーク（１００）内の前記無線基地局（１２０、１２２）は、前記計算された時間差Ｘを用いて同期がとられることを特徴とする請求項６に記載の方法。
【請求項８】
前記無線通信ネットワーク（１００）内のネットワーク・ノード（１３０）において行われることを特徴とする請求項１乃至７のいずれか一項に記載の方法。
【請求項９】
前記無線通信ネットワーク（１００）内の前記移動先無線基地局（１２２）において行われることを特徴とする請求項１乃至８のいずれか一項に記載の方法。
【請求項１０】
無線アクセス・ネットワーク（１００）におけるネットワーク・ノード（１３０）内の装置（４００）であって、
前記無線アクセス・ネットワーク（１００）は移動元（１１０）と、移動先セル（１１２）と、ユーザ装置（１４０）とを備え、
前記ユーザ装置は前記移動元セル（１１０）内に備えられている移動元無線基地局（１２０）と通信するように構成され、
前記ユーザ装置（１４０）はさらに移動元セル（１１０）から移動先セル（１２２）へのハンドオーバ後に前記第二のセル（１１２）内に備えられている移動先無線基地局（１２２）と切り替えて通信するように構成され、
前記ユーザ装置（１４０）はさらにユーザ装置送信を行うように構成され、
前記移動元セル（１１０）は第一の基準信号（パイロット１）を送信するように構成され、そして前記移動先セル（１１２）は第二の基準信号（パイロット２）を送信するように構成されており、
前記第二の基準信号（パイロット２）が前記移動先セル（１１２）により送信される時点（２０２）と前記移動先セル（１１２）が前記ユーザ装置（１４０）送信を受信する時点（２２２）との間の前記時間差（ＣＡで示す）を有する第一の情報を、前記移動先セル（１１２）から取得するように構成された情報取得部（４１０）であって、さらに、第二の基準信号（パイロット２）が前記ユーザ装置（１４０）により受信される時点（２１２）と前記ユーザ装置送信が発信される時点（ＵＥ  Ｔｘ）との間の前記時間差（Ｃで示す）を有する第二の情報を取得するように構成された情報取得部（４１０）と、
移動先タイムアラインメント（ＴＡ２で示す）を式［ＴＡ２＝Ｃ−Ａ］を用いて計算するように構成された情報処理部（４２０）であって、前記移動先タイムアラインメントは前記ハンドオーバ後に前記移動先セル（１１２）において通信する際に前記ユーザ装置（１４０）により使用されるように構成された情報処理部（４２０）と
を備えることを特徴とするネットワーク・ノード装置
【請求項１１】
前記情報取得部４１０はさらに、前記ユーザ装置（１４０）から第三の情報を取得するように構成され、
前記第三の情報は、前記第一の基準信号（パイロット１）が前記ユーザ装置（１４０）により受信される時点（２１０）と前記第二の基準信号（パイロット２）が前記ユーザ装置（１４０）により受信される時点（２１２）との間の前記時間差（Ｂで示す）を有することを特徴とする請求項１０に記載のネットワーク・ノード装置。
【請求項１２】
前記ユーザ装置（１４０）は、ＴＡ１で示される移動元タイムアラインメント調整値を用いて前記移動元無線基地局（１２０）と通信するように構成され、
前記情報取得部（４１０）はさらに、前記ＴＡ１の値を有する第四の情報を取得するように構成されていることを特徴とする請求項１１に記載のネットワーク・ノード装置（４００）。
【請求項１３】
前記ユーザ装置（１４０）は、移動元のタイミング・オフセット（オフセット・セル１で示す）を用いて前記移動元無線基地局（１２０）と通信するように構成され、
前記情報取得部（４１０）はさらに、前記オフセット・セル１の値を有する第五の情報を取得するように構成され、
前記情報処理部（４２０）はさらに、式［Ｃ＝（オフセット・セル１）−Ｂ−ＴＡ１］を用いてＣを計算するように構成されていることを特徴とする請求項１２に記載のネットワーク・ノード装置（４００）。
【請求項１４】
前記情報取得部（４１０）はさらに、前記ユーザ装置（１４０）から第六の情報を取得するように構成され、
前記第六の情報は、前記第１の基準信号（パイロット１）が前記ユーザ装置（１４０）により受信される時点（２１０）と前記ユーザ装置送信が行われる時点（ＵＥ  Ｔｘ）との間の前記時間差（Ｄで示す）を有し、
前記情報処理部（４２０）はさらに式［Ｃ＝Ｄ−Ｂ］を用いてＣを計算するように構成されていることを特徴とする請求項１１に記載のネットワーク・ノード装置（４００）。
【請求項１５】
前記情報処理部（４２０）はさらに、前記第一の基準信号（パイロット１）が前記移動元セル（１１０）から送られる時点（２００）と前記第二の基準信号（パイロット２）が移動先セル（１１２）から送られる時点（２０２）との間の前記時間差（Ｘで示す）を、式［Ｘ＝Ｂ＋（ＴＡ１−ＴＡ２）／２］を用いて計算するように構成されていることを特徴とする請求項１２乃至１４のいずれか一項に記載のネットワーク・ノード装置（４００）。
【請求項１６】
前記ネットワーク・ノードの装置（４００）は、前記移動先無線基地局（１２２）内に備えられることを特徴とする請求項１０乃至１５のいずれか一項に記載のネットワーク・ノード装置（４００）。
【発明の詳細な説明】
【技術分野】
【０００１】
本発明は無線アクセス・ネットワークにおける方法および装置に関する。特に本発明はハンドオーバ後に移動先セル内のユーザ装置によって使用される移動先タイムアラインメントの値の計算を管理することに関する。
【背景技術】
【０００２】
ユーザ装置送信が基地局の受信機において時間調整される必要があるアクセス体系では、ユーザ装置間で変動する伝搬遅延を補うためにユーザ装置送信のタイミング調整を必要とする。これは、ユーザ装置と基地局間において異なり、かつ変動する伝搬遅延がある場合、ユーザ間で不必要に長いタイム・ガードを使用しなければいけないことを避けるためである。基本的に、全地球移動通信システム（ＧＳＭ）、パーソナル・デジタル・セルラー（ＰＤＣ）および時分割多元接続（ＴＤＭＡ）のような時分割多元接続（ＴＤＭＡ）に基づいた全てのアクセス体系は、何らかのタイムアラインメント制御を使用する。
【発明の開示】
【発明が解決しようとする課題】
【０００３】
ユーザ装置送信のタイムアラインメント調整は、典型的に時間基準としての基準信号を用いることによって実行される。すなわち、基地局は、ユーザ装置内で受信した時間基準信号を送信し、そして受信した時間基準信号に関連した送信のタイミングを変更するようにユーザ装置へ命令する。タイムアラインメント調整の典型的な目的は、基地局の受信機においてユーザ装置送信間での重複を回避し、そして基地局内のあるユーザ装置に対しての受信と送信との間で一定の時間を保つことを可能にすることである。
【０００４】
現行のタイムアラインメントの解決策は短縮バーストを用いて、ハンドオーバ時に大きなガード・タイムを提供し、タイミング調整がなされる前にユーザ装置送信間での時間の重複を避け、そしてまた基地局の受信機に要求されたタイミング調整を測定するようにし、そしてまたユーザ装置が通常のバーストを余裕無く使用し始める前にその調整値をユーザ装置に信号で伝えるように支援する。
【０００５】
短縮バーストの送信およびタイムアラインメントの測定結果は、呼設定時およびハンドオーバ時に使用される。短縮バーストは最大規模のセルに対しても十分なタイムマージンを持たせるのに十分な程度に短く、そしてユーザ・データのペイロードを含んでも含まなくてもよい。呼設定時に使用される短縮バーストは、ハンドオーバに対して使用されるものとは異なる場合がある。通常のバーストは、ユーザ装置送信のタイミング調整の頻度および精度を与えることが可能な程度の少しのタイムマージンしか使用しない。
【０００６】
既存の解決策は、新しいセルに接続する場合、ハンドオーバの後及び基地局が時間内にユーザ装置送信を調整し終える前に最初にユーザ装置により使用される短縮バーストの送信を必要とする。短縮バーストは、長短に係わらず接続の中断を意味する。ユーザ装置はまた、基準信号に関する測定をして基地局からのタイムアラインメントの命令を受信して、短縮バーストの送信を停止し、通常のバーストおよび通常の電力レベルを使用し始めるのに十分な程度に良好な下りリンクに依存している。
【０００７】
短縮バーストを使用することに対する代替案がＵＳ６０３５１９９に記載されている。この文書は無線通信システムにおいてハンドオフを行うための装置および方法を説明している。その方法は、モバイル加入者とサービスセルとの間の通信を確立する工程と、目標セルおよび前記サービスセルが同一場所に位置するかどうかを決める工程と、モバイル加入者へ通常のバースト・ハンドオフ・コマンドを送る工程と、前記モバイル加入者から前記目標セルへタイム・オフセットを含めて通常のバーストを送る工程と、前記モバイル加入者と前記目標セルとの間の通信を確立する工程の各工程を含む。前記装置は、モバイル加入者と通信中のサービスセルおよび目標セルを含む無線システムに関する。目標セルがサービスセルと重複する場合、通常のバースト内で送信し、現行のアラインメントを維持するモバイル加入者への命令を含めて、通常のバースト・ハンドオフがモバイル加入者に送られる。
【０００８】
この解決策に伴う課題は、サービスセルおよび目標セルが同一場所に位置する場合、すなわち同一の基地局または同一のアンテナもしくはその両方を使用する場合に限定されることである。
【課題を解決するための手段】
【０００９】
したがって、本発明の目的は、同一場所に位置する場合やそうでない場合のいずれにおける、いかなるセル形態に対しても機能する、ハンドオーバ時にモバイル送信の時間を計測するためのメカニズムを提供することである。
【００１０】
本発明の第一の特徴によると、本目的は、無線アクセス・ネットワークにおける、ハンドオーバ後の移動先セルのユーザ装置により使用される、移動先タイムアラインメントの計算を管理するための方法により達成される。無線アクセス・ネットワークは、移動元セル、移動先セルおよびユーザ装置を有する。ユーザ装置は、移動元セル内に備えられている移動元無線基地局と通信するように構成されている。ユーザ装置はさらに、ハンドオーバ後に移動先セル内に備えられている移動先無線基地局と切り替えて通信するように構成されている。ユーザ装置はさらに、ユーザ装置送信を行うように構成されている。移動元セルは、第一の基準信号を送信するように構成され、そして移動先セルは第二の基準信号を送信するように構成されている。本方法は、移動先セルから第一の情報を得る工程を有する。第一の情報は、第二の基準信号が移動先セルにより送信される時点と移動先セルがユーザ装置送信を受信する時点との間の時間差（Ａで示す）を有する。本方法は更に、第二の基準信号がユーザ装置により受信される時点とユーザ装置送信が発信される時点との間の時間差（Ｃで示す）を有する第二の情報を取得する工程を有する。本方法は更に、移動先タイムアラインメント（ＴＡ２で示す）を、式［ＴＡ２＝Ｃ−Ａ］を用いて計算する工程を有する。
【００１１】
本発明の第二の特徴によると、本目的は無線アクセス・ネットワークにおけるネットワーク・ノード内の装置により達成される。無線アクセス・ネットワークは移動元セル、移動先セルおよびユーザ装置を備える。ユーザ装置は、移動元セル内に備えられている移動元無線基地局と通信するように構成されている。ユーザ装置は移動元セルから移動先セルへ、ハンドオーバ後に移動先セル内に備えられている移動先無線基地局と切り替えて通信するように構成されている。ユーザ装置はユーザ装置送信を行うように構成されている。移動元セルは第一の基準信号を送信するように構成され、そして移動先セルは第二の基準信号を送信するように構成されている。ネットワーク・ノードである装置は、移動先セルから第一の情報を取得するように構成された情報取得部を備える。第一の情報は、第二の基準信号が移動先セルにより送信される時点と移動先セルがユーザ装置送信を受信する時点との間の時間差（Ａで示す）を有する。情報取得部は更に、第二の基準信号がユーザ装置により受信される時点とユーザ装置送信が発信される時点との間の時間差（Ｃで示す）を有する第二の情報を取得するように構成される。ネットワーク・ノードである装置は更に、移動先タイムアラインメント（ＴＡ２で示す）を、式［ＴＡ２＝Ｃ−Ａ］を用いて計算するように構成された情報処理部を備える。移動先タイムアラインメントはハンドオーバ後に移動先セルにおいて通信する場合にユーザ装置により使用されるように構成されている。
【００１２】
移動先セル内における、第二の基準信号の送信工程とユーザ装置送信の受信工程との間の時間差Ａが取得されており、かつユーザ装置内における、第二の信号の受信工程とユーザ装置送信の発信工程との間の時間差Ｃが取得されているので、移動先タイムアラインメントは、ユーザ装置が移動元セルのサービス中のうちに計算できる。
【００１３】
本発明によりもたらされる利点は、短縮バーストの使用がハンドオーバ時に回避できることであり、ハンドオーバによる中断が最小化されることになることを意味する。
【００１４】
本発明によりもたらされる更なる利点は、最小化された中断がまたアプリケーションのバックオフ、すなわち伝送制御プロトコル（ＴＣＰ）のバックオフを引き起こす確率を減少させることになることである。
【００１５】
本発明によりもたらされる更なる利点は、基地局を互いに同期させる手段もまた提供できることである。
【発明を実施するための最良の形態】
【００１６】
本発明は、以下で説明する実施形態で実現できる方法および装置として明示される。
【００１７】
図１は、たとえば広帯域符号分割多元接続（ＷＣＤＭＡ）、時分割二重（ＴＤＤ）モード無線アクセス・ネットワークの長期的エボリューション（ＲＡＮ  ＬＴＥ）、全地球移動通信システム（ＧＳＭ）、パーソナル・デジタル・セルラー（ＰＤＣ）、マイクロ波アクセスの国際的な相互運用性（ＷＩＭＡＸ）または、任意のＴＤＤまたはＴＤＭＡシステムのような技術を使用する無線アクセス・ネットワーク１００を示している。無線アクセス・ネットワーク１００は、数多くのセルを備えており、そのうちの２つのセル、セル１１０およびセル１１２が図１に描かれている。それらのセルのいずれもが無線基地局によりサービスされており、セル１１０は無線基地局１２０によりサービスされ、そしてセル１１２は無線基地局１２２によりサービスされている。セル１１０、１１２および無線基地局１２０、１２２はネットワーク・ノード１３０により制御され、ネットワーク・ノード１３０は異なる制御機能を行う１つ以上のネットワーク・ノードを有しても良く、ネットワーク・ノードはまた任意の無線基地局であっても良い。ユーザ装置１４０は、現在セル１１０内に位置している。セル１１０は、これ以降、移動元セル１１０と呼び、そして無線基地局１２０は、これ以降、移動元無線基地局１２０と呼ぶ。ユーザ装置１４０は、携帯電話、携帯情報端末（ＰＤＡ）、パーソナル・コンピュータ（ＰＣ）カードまたは無線アクセス・ネットワーク内において通信できるその他のノードであってよい。ユーザ装置１４０は、現在無線アクセス・ネットワーク１００において移動元無線基地局１２０を経由して上りリンク・チャネル１５０および下りリンク・チャネル１５５上で通信している。ユーザ装置１４０はセル１１２に向かって移動しており、矢印１６０により移動が指し示されている。セル１１２は、これ以降、移動先セル１１２と呼び、そして移動先セル１１２をサービスとする無線基地局１２２は、これ以降、移動先無線基地局１２２と呼ぶ。ユーザ装置はハンドオーバを起こすであろうが、そのハンドオーバ中にユーザ装置１４０は、移動元無線基地局１２０を経由する通信から切り替えて、上りリンク・チャネル１７０および下りリンク・チャネル１７５において移動先無線基地局１２２を経由して通信するであろう。
【００１８】
本方法は、無線アクセス・ネットワーク１００の範囲内のネットワーク・ノードまたは移動先セルにおいて時間測定が実施されることができるように、ユーザ装置が移動元セルによってサービスされている間に、ユーザ装置送信を走査し、受信すべく、１またはいくつかの移動先セルの候補となる可能性を使用する。ユーザ装置１４０をサービスしている移動元セル１１０は、移動先セルからユーザ装置１４０を測定し、そして特定できるようにするために、ユーザ装置送信を制御することができる。移動先セルが選択される場合、タイムアラインメント情報は、ユーザ装置による移動元セルと移動先セルとの間の時間差測定と、移動先セルによる時間差測定とに基づいて計算される。このことにより、移動先セルがユーザ装置を受信できると短縮バーストが使用される必要は無い。移動元セルおよび移動先セルは異なる技術を使用することができる点に特に注意されたい。たとえば移動元セルはＷＣＤＭＡセルであり、移動先セルがユーザ装置を測定できるのであれば、移動先セルはセルに基づいたＲＡＮ  ＬＴＥとなる場合である。
【００１９】
以下の例では、他の技術も同様に使用されることができるが、現行のＲＡＮ  ＬＴＥの成果から名称および概念を例として使用する。
【００２０】
本方法は、これから図２を参照して説明することとする。図２は、２つの縦軸を有する概略図であり、上側の軸は時間を示しており、そして移動元セル１１０および移動先セル１１２に関係している。下側の軸もまた時間を示しているが、しかしユーザ装置１４０に関係している。ユーザ装置１４０は、ハンドオーバ時に移動先セル１１２における移動先無線基地局１２２とタイミングに合わせるように、自身の送信を調整しなければならない。同時にはただ１つのセルのみがユーザ装置１４０のタイムアラインメントを制御するものと想定している。ＲＡＮ  ＬＴＥの場合は、ユーザ装置１４０は、受信した基準信号のタイミングに関して自身の送信のタイミングを調整できると仮定されている。十分に良好な信号品質が存在すれば、ユーザ装置１４０が探索して受信できる基準信号をセル１１０及び１１２はいずれも送信する。移動元セル１１０は、図２においてパイロット１で示した矢印により指し示している第一の基準信号を、２００で示している時点において送信する。移動先セル１１２は、パイロット２で示している矢印により指し示している第二の基準信号として、２０２で示している時点において送信する。基準信号パイロット１が移動元セル１１０から送られる時点２００と基準信号パイロット２が移動先セル１１２から送られる時点２０２との間の時間差は、図２においてＸで示される。Ｘがどのように計算でき、そしてＸが何に使用されうるかは、後ほど説明することとする。移動元セル１１０により送信されるパイロット１は、ユーザ装置１４０により２１０で示される時点で受信され、そして移動先セル１１２から送信されるパイロット２は、ユーザ装置１４０により２１２で示される時点で受信される。送信された基準信号は、ユーザ装置１４０が受信時に、基準信号の送信時点２００および２０２を解決できるような時間マーカを有している。移動元セル１１０とユーザ装置１４０との間の伝搬遅延はｄ１で示され、そして移動先セル１１２とユーザ装置１４０との間の伝搬遅延はｄ２で示される。上りリンクおよび下りリンクの伝搬遅延はおおよそ等しいと想定されている。
【００２１】
タイムアラインメントＴＡ１は、移動元セル１１０内の移動元無線基地局１２０と通信するためにユーザ装置１４０により現在使用されている調整である。ハンドオーバの前では、移動元セル１１０におけるユーザ装置１４０のタイムアラインメントＴＡ１は、移動元セル１１０により監視され、そして調整される。ここでは、ＴＡ１＝２＊ｄ１となる。ネットワーク・ノード１３０は、図２にオフセット・セル１で示され移動元セル１１０におけるタイミング・オフセット、およびオフセットＵＥ１で示される。移動元セル１１０において通信している場合のユーザ装置１４０におけるタイミング・オフセットを認識し、オフセット・セル１はオフセットＵＥ１とまったく同じ長さである。すなわち［オフセット・セル１＝オフセットＵＥ１］。ハンドオーバ後、移動先セル１１２におけるタイミング・オフセットは図２においてオフセット・セル２で示され、そして移動先セル１１２において通信している場合のユーザ装置１４０におけるタイミング・オフセットは、オフセットＵＥ２で示される。オフセット・セル２はオフセットＵＥ２とまったく同じ長さであり、すなわち［オフセット・セル２＝オフセットＵＥ２］。一般に、タイミング・オフセットは移動元セルおよび移動先セルにおいて等しいが、それらは異なる場合もある。タイムアラインメントＴＡ２は、ハンドオーバ後に移動先セル１１２と通信する場合にユーザ送信のためにユーザ装置１４０により使用されることを必要とする調整であり、この移動先セルのユーザ送信は矢印２１４により指し示されている。ユーザ装置１４０のタイムアラインメントＴＡ２は、ハンドオーバ後に移動先セル１１２により監視され、そして調整されるであろう。
【００２２】
ネットワーク・ノード１３０はセル・ハンドオーバが必要か否かを評価する。必要であれば、ネットワーク・ノード１３０は候補となる移動先セルに、図１での典型的なシナリオでは移動先セル１１２に、ユーザ装置１４０からの送信を探索するように命令する。ユーザ装置送信は、ＵＥ  Ｔｘで示された特定の時点で発信される。移動元セル１１０において２２０で示された時点で受信されたユーザ送信は、矢印２２１により指し示されていて、移動先セル１１２において２２２で示された時点で受信されるユーザ送信は、矢印２２３により指し示されている。移動先セル１１２は、ユーザ装置１４０の受信品質と、および基準信号パイロット２を送信する時点２０２とユーザ装置１４０からの送信を受信する時点２２２との間の時間差とをネットワーク・ノード１３０に折り返し報告し、その時間差はＡで示される。
【００２３】
ユーザ装置１４０は、受信した第一の基準信号パイロット１の時点２１０と受信した第二の基準信号パイロット２の時点２１２との間の時間差を測定し、その時間差はＢで示される。時間差Ｂはユーザ装置１４０によりネットワーク・ノード１３０に報告されることができる。移動元セル１１０およびネットワーク・ノード１３０は、移動元セル１１０においてユーザ装置１４０により使用される現在のタイムアラインメントの値ＴＡ１を適切に有しているが、ユーザ装置１４０は、しかしながら実際の現在のタイムアラインメント値ＴＡ１をネットワーク・ノード１３０へ報告する場合がある。
【００２４】
ユーザ装置１４０はまた、第二のパイロット２が受信される時点２１２とユーザ装置１４０からの送信が発信される時点ＵＥ  Ｔｘとの間の時間差を測定でき、その時間差はＣで示される。時間差Ｃはユーザ装置１４０によりネットワーク・ノード１３０に追加として、または時間差Ｂを報告する代わりとして報告されることができる。Ｃはまた、式［Ｃ＝（オフセットＵＥ１）−Ｂ−ＴＡ１］を使用するか、もしくはオフセットＵＥ１＝オフセット・セル１であるので、式［Ｃ＝（オフセット・セル１）−Ｂ−ＴＡ１］を使用して計算することができる。
【００２５】
別の実施形態では、ユーザ装置１４０は第一の基準信号パイロット１がユーザ装置１４０により受信される時点２１０とユーザ装置送信が行われる時点ＵＥ  Ｔｘとの間の時間差を測定し、その時間差はＤで示され、その時間差Ｄはネットワーク・ノード１３０に報告されることができる。Ｃはそのとき、式［Ｃ＝Ｄ−Ｂ］を使用して計算される。
【００２６】
速やかに通信が移動先セル１１２に引継ぎ始める際において、ハンドオーバ後に選択された移動先セル１１２に接続する場合にユーザ装置１４０により使用されるＴＡ２の値は、短縮バーストの使用を回避し、それにより、通信をより効率よくするために、ハンドオーバの前に必要とされる。ネットワーク・ノード１３０は、移動先セルから時間差Ａを、そしてユーザ装置からまたは計算されることにより時間差Ｃを取得している場合、タイムアラインメントＴＡ２は式  ＴＡ２＝Ｃ−Ａ  を用いて計算できる。その計算は、ネットワーク・ノード１３０または移動先セル１１２内の無線基地局１２２により行われることができる。その計算が行われる場合、ＴＡ２の値はユーザ装置１４０に報告され、ユーザ装置１４０が移動先セル１１２へのハンドオーバ後に通信を継続する場合、ユーザ装置送信を送信するための時点を調整するために計算された移動先タイムアラインメントＴＡ２を利用することによりユーザ装置送信を速やかに開始する。
【００２７】
選択された移動先セル１１２が、信頼できる時間測定を行うのに十分なだけユーザ装置１４０から受信できない場合、ネットワーク・ノード１３０はユーザ装置１４０にハンドオーバ後にフォールバックとして短縮バーストを使用するように命令する。
【００２８】
一般に基地局を相互に同期させるため、および移動元無線基地局１２０からの送信と移動先基地局１２２からの送信とを同期させるために、基準信号パイロット１が移動元セル１１０から送られる時点２００と基準信号パイロット２が移動先セル１１２から送られる時点２０２との間の絶対時間差Ｘが必要とされる。これは、式  Ｘ＝Ｂ＋（ＴＡ１−ＴＡ２）／２  を使用することにより計算され、ここで、ＴＡ２は上記の述べたように計算でき、ＢおよびＴＡ１は既知である。時間差Ｘはネットワーク・ノード１３０により計算できる。
【００２９】
ハンドオーバ後に移動先セル１１２において使用される移動先タイムアラインメントＴＡ２の計算を管理するための本方法の工程は、図３に表現されているフローチャートを参照してこれから説明することとする。  ３０１．  第一の情報が移動先セル１１２から取得され、その第一の情報は、第二の基準信号パイロット２が移動先セル１１２により送信される時点２０２と移動先セルがユーザ装置１４０からの送信を受信する時点２２２との間の時間差を有し、その時間差はＡで示される。
【００３０】
３０２．  第二の情報が取得される。その第二の情報は、第二の基準信号パイロット２がユーザ装置１４０により受信される時点２１２とユーザ装置送信が発信される時点ＵＥ  Ｔｘとの間の時間差を有し、その時間差はＣで示される。時間差Ｃを有する第二の情報は、ユーザ装置１４０によりネットワーク・ノード１３０に報告されることができる。
【００３１】
第二の実施形態では、時間差Ｃは第三、第四および第五の情報に基づいて計算される。その場合、第三、第四および第五の情報が取得される。第三の情報は、第一の基準信号パイロット１がユーザ装置１４０により受信される時点２１０と第二の基準信号パイロット２がユーザ装置１４０により受信される時点２１２との間の時間差を有し、その時間差はＢで示される。第四の情報はＴＡ１の値を有する。第五の情報はオフセット・セル１の値を有する。時間差Ｃは、その際式［Ｃ＝（オフセット・セル１）−Ｂ−ＴＡ１］を用いて計算される。
【００３２】
第三の実施形態では、時間差Ｃは第三の情報および第六の情報に基づいて計算される。その場合、第三および第六の情報が取得される。第六の情報は、第一の基準信号パイロット１がユーザ装置１４０により受信される時点２１０とユーザ装置送信が行われる時点ＵＥ  Ｔｘとの間の時間差を有し、その時間差はＤで示される。時間差Ｃは、それから式［Ｃ＝Ｄ−Ｂ］を用いて計算される。  ３０３．  時間差Ａおよび時間差Ｃを有する情報を取得した場合、ＴＡ２で示される移動先タイムアラインメントは式［ＴＡ２＝Ｃ−Ａ］を用いて計算される。
【００３３】
３０４．  ３０３で事前に取得されないと、時間差Ｂを有する第三の情報およびＴＡ１の値を有する第四の情報が取得される。
【００３４】
３０５．  第一の基準信号パイロット１が移動元セル１１０から送られる時点２００と第二の基準信号パイロット２が移動先セル１１２から送られる時点２０２との間の時間差は、前記時間差はＸで示され、その後計算されることができる。時間差Ｘは式［Ｘ＝Ｂ＋（ＴＡ１−ＴＡ２）／２］を用いて計算され、そして元のおよび移動先基地局１２０および１２２を同期させるために使用されることができる。
【００３５】
本方法の各工程を行うために、ネットワーク・ノード１３０は、図４に描かれている装置４００を備える。ネットワーク・ノードの装置４００は、第一の情報を移動先セル１１２から取得するように構成された情報取得部４１０を備えており、第一の情報は、第二の基準信号パイロット２が移動先セル１１２により送信される時点２０２と移動先セル１１２がユーザ装置１４０からの送信を受信する時点２２２との間の時間差を有し、その時間差はＡで示される。情報取得部４１０はさらに、第二の基準信号パイロット２がユーザ装置１４０により受信される時点２１２とユーザ装置送信が発信される時点ＵＥ  Ｔｘとの間の時間差を有する第二の情報を取得するように構成されており、その時間差はＣで示される。ネットワーク・ノードの装置４００はさらに、ＴＡ２で示される移動先タイムアラインメントを式［ＴＡ２＝Ｃ−Ａ］を用いて計算するように構成された情報処理部４２０を有し、前記移動先タイムアラインメントＴＡ２は、ハンドオーバ後に移動先セル１１２において通信する際にユーザ装置１４０により使用されるように構成されている。
【００３６】
情報取得部４１０はさらに、ユーザ装置１４０から第三の情報を取得するように構成されており、第三の情報は、第一の基準信号パイロット１がユーザ装置１４０により受信される時点２１０と第二の基準信号パイロット２がユーザ装置１４０により受信される時点２１２との間の時間差を有し、その時間差はＢで示される。
【００３７】
ユーザ装置１４０は、ＴＡ１で示される移動元タイムアラインメント調整値を使用して、移動元の無線基地局１２０と通信するように適応できる。情報取得部４１０はさらに、ＴＡ１の値を備える第四の情報を取得するように適応できる。
【００３８】
ユーザ装置１４０は、オフセット・セル１で示される移動元のタイミング・オフセットを使用して、移動元の無線基地局１２０と通信するように適応できる。情報取得部４１０はさらに、オフセット・セル１の値を有する第五の情報を取得するように適応できる。情報処理部４２０はさらに、式［Ｃ＝（オフセット・セル１）−Ｂ−ＴＡ１］を用いてＣを計算するように適応できる。
【００３９】
情報取得部４１０はさらに、ユーザ装置１４０から第六の情報を取得するように適応でき、第六の情報は第一の基準信号パイロット１がユーザ装置１４０により受信される時点２１０とユーザ装置送信が行われる時点ＵＥ  Ｔｘとの間の時間差を有し、その時間差はＤで示される。情報処理部４２０はさらに、式［Ｃ＝Ｄ−Ｂ］を用いてＣを計算するように適応できる。
【００４０】
情報処理部４２０はさらに、第一の基準信号パイロット１が移動元セル１１０から送られる時点２００と第二の基準信号パイロット２が移動先セル１１２から送られる時点２０２との間の時間差を、前記時間差はＸと示され、式［Ｘ＝Ｂ＋（ＴＡ１−ＴＡ２）／２］を用いて計算するように適応できる。ネットワーク・ノードの装置（４００）は、移動先無線基地局（１２２）内に備えられても良い。
【００４１】
本タイムアラインメントの計算メカニズムは、１つ以上のプロセッサ、たとえば図４に描かれている基地局の装置内のプロセッサ４３０を介して、本発明の機能を行うためのコンピュータ・プログラム・コードとともに実装できる。上述のプログラム・コードはまた、コンピュータ・プログラム成果物、たとえばアクセス・ポイントまたはネットワーク・ノード１３０もしくはその両方に搭載される際に、本方法を行うためのコンピュータ・プログラム・コードを扱えるデータ記憶媒体の形態として提供してもよい。そのような記憶媒体の１つとしてＣＤ  ＲＯＭディスクの形態をとってもよい。また一方、メモリ・スティックのような他のデータ記憶媒体を用いて実現可能である。コンピュータ・プログラム・コードはさらに、サーバ上の純然たるプログラム・コードとして提供され、そしてネットワーク・ノード１３０に遠隔でダウンロードすることもできる。
【００４２】
本発明は、上記の推奨の実施形態に限定されるものではない。様々な代替案、修正物および同等なものが使用できる。したがって、上の実施形態は本発明の範囲を限定するものと解釈されるべきではなく、発明の範囲は添付のクレームにより規定される。
【図面の簡単な説明】
【００４３】
【図１】図１は無線アクセス・ネットワークを説明する概略ブロック図である。
【図２】図２はタイムアラインメントを説明する概略図である。
【図３】図３はタイムアラインメントの計算法を説明するフローチャートである。
【図４】図４は無線アクセス・ネットワーク内のネットワーク・ノードにおける装置を説明する概略ブロック図である。
【符号の説明】
【００４４】
１００  無線アクセス・ネットワーク
１１０  移動元セル
１１２  移動先セル
１２０  移動元無線基地局
１２２  移動先無線基地局
１３０  ネットワーク・ノード
１４０  ユーザ装置
４００  ネットワーク・ノード装置
４１０  情報取得部
４２０  情報処理部
４３０  プロセッサ
【図１】
2009542087.tif 000003
【図２】
2009542087.tif 000004
【図３】
2009542087.tif 000005
【図４】
2009542087.tif 000006
【国際調査報告】
2009542087.tif 000007
2009542087.tif 000008
2009542087.tif 000009